【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
電子デバイスによってユーザインターフェース状態を報告するための方法であって、
ユーザインターフェース状態メッセージをデバイスホストからコントローラに送ることと、ここにおいて、前記ユーザインターフェース状態メッセージが１つまたは複数のユーザインターフェースの可用性を示し、可用性が電力供給された状態に対応する、
アプリケーション情報を１つまたは複数のセキュア要素から前記コントローラに送ることと、
前記ユーザインターフェース状態メッセージと前記アプリケーション情報とに基づいて、アプリケーションリストを決定することと、
前記アプリケーションリストを遠隔デバイスに送ることと
を備える、方法。
【請求項２】
前記アプリケーションリストを決定することが、利用可能なユーザインターフェースを利用するアプリケーションに対応する、１つまたは複数のアプリケーションインジケータをリスト化することを備える、または、
前記アプリケーションリストを決定することが、利用不可能なユーザインターフェースを利用するアプリケーションに対応する、１つまたは複数のアプリケーションインジケータを除外することを備える、請求項１に記載の方法。
【請求項３】
１つまたは複数のユーザインターフェースの利用可能になるまでの時間を示す利用可能になるまでの時間メッセージを前記遠隔デバイスに送ること
をさらに備える、請求項１に記載の方法。
【請求項４】
前記ユーザインターフェース状態メッセージが、前記１つまたは複数のユーザインターフェースの状態変更が生じるとき、前記デバイスホストから前記コントローラに送られる、請求項１に記載の方法。
【請求項５】
前記コントローラが、近接支払システム環境（ＰＰＳＥ）を含む近距離通信（ＮＦＣ）コントローラであり、前記ＮＦＣコントローラの前記ＰＰＳＥが前記アプリケーションリストを決定する、請求項１に記載の方法。
【請求項６】
前記１つまたは複数のセキュア要素の各々が、アプリケーションリストを決定する近接支払システム環境（ＰＰＳＥ）を含み、
前記コントローラが、ユーザインターフェース可用性を示すために、前記アプリケーションリストを更新する、請求項１に記載の方法。
【請求項７】
ユーザインターフェース状態を報告するための電子デバイスであって、
ユーザインターフェース状態メッセージを送るように構成されたデバイスホストと、ここにおいて、前記ユーザインターフェース状態メッセージが１つまたは複数のユーザインターフェースの可用性を示し、可用性が電力供給された状態に対応する、
アプリケーション情報を送るように構成された、少なくとも１つのセキュア要素と、
前記デバイスホストと前記少なくとも１つのセキュア要素とに結合されたコントローラと
を備え、
前記コントローラが、
前記デバイスホストから前記ユーザインターフェース状態メッセージを受信し、
前記少なくとも１つのセキュア要素から前記アプリケーション情報を受信し、
前記ユーザインターフェース状態メッセージと前記アプリケーション情報とに基づいて、アプリケーションリストを決定し、
前記アプリケーションリストを遠隔デバイスに送るように構成された、電子デバイス。
【請求項８】
前記アプリケーションリストを決定することが、利用可能なユーザインターフェースを利用するアプリケーションに対応する、１つまたは複数のアプリケーションインジケータをリスト化することを備える、または、
前記アプリケーションリストを決定することが、利用不可能なユーザインターフェースを利用するアプリケーションに対応する、１つまたは複数のアプリケーションインジケータを除外することを備える、または、
１つまたは複数のユーザインターフェースの利用可能になるまでの時間を示す利用可能になるまでの時間メッセージを前記遠隔デバイスに送るようにさらに構成された、請求項７に記載の電子デバイス。
【請求項９】
前記ユーザインターフェース状態メッセージが、前記１つまたは複数のユーザインターフェースの状態変更が生じるとき、前記デバイスホストから前記コントローラに送られる、または、
前記コントローラが、近接支払システム環境（ＰＰＳＥ）を含む近距離通信（ＮＦＣ）コントローラであり、前記ＮＦＣコントローラの前記ＰＰＳＥが前記アプリケーションリストを決定するように構成された、または、
前記１つまたは複数のセキュア要素の各々が、前記アプリケーションリストを決定するように構成された近接支払システム環境（ＰＰＳＥ）を含み、前記コントローラが、ユーザインターフェース可用性を示すために、前記アプリケーションリストを更新するように構成された、請求項７に記載の電子デバイス。
【請求項１０】
方法の請求項１乃至６のうちのいずれか一項を実行するための命令を備える、ユーザインターフェース状態を報告するためのコンピュータプログラム製品。
【請求項１１】
ユーザインターフェース状態を報告するための装置であって、
ユーザインターフェース状態メッセージをデバイスホストからコントローラに送るための手段と、ここにおいて、前記ユーザインターフェース状態メッセージが１つまたは複数のユーザインターフェースの可用性を示し、可用性が電力供給された状態に対応する、
アプリケーション情報を１つまたは複数のセキュア要素から前記コントローラに送るための手段と、
前記ユーザインターフェース状態メッセージと前記アプリケーション情報とに基づいて、アプリケーションリストを決定するための手段と、
前記アプリケーションリストを遠隔デバイスに送るための手段と
を備える、装置。
【請求項１２】
前記アプリケーションリストを決定するための前記手段が、利用可能なユーザインターフェースを利用するアプリケーションに対応する、１つまたは複数のアプリケーションインジケータをリスト化するための手段を備える、または、
前記アプリケーションリストを決定するための前記手段が、利用不可能なユーザインターフェースを利用するアプリケーションに対応する、１つまたは複数のアプリケーションインジケータを除外するための手段を備える、請求項１１に記載の装置。
【請求項１３】
１つまたは複数のユーザインターフェースの利用可能になるまでの時間を示す利用可能になるまでの時間メッセージを前記遠隔デバイスに送るための手段
をさらに備える、請求項１１に記載の装置。
【請求項１４】
前記ユーザインターフェース状態メッセージが、前記１つまたは複数のユーザインターフェースの状態変更が生じるとき、前記デバイスホストから前記コントローラに送られる、請求項１１に記載の装置。
【請求項１５】
前記コントローラが、近接支払システム環境（ＰＰＳＥ）を含む近距離通信（ＮＦＣ）コントローラであり、前記ＮＦＣコントローラの前記ＰＰＳＥが前記アプリケーションリストを決定する、請求項１１に記載の装置。
【手続補正２】
【補正対象書類名】明細書
【補正対象項目名】０１０６
【補正方法】変更
【補正の内容】
【０１０６】
[00112]特許請求の範囲が上記に示した正確な構成と構成要素に制限されないことを理解されたい。特許請求の範囲を逸脱することなく、本明細書で説明されたシステム、方法、および装置の構成、活動、ならびに詳細において、様々な修正、変更、および変形が行われ得る。
以下に、本願の出願当初の特許請求の範囲に記載された発明を付記する。
［Ｃ１］
電子デバイスによってユーザインターフェース状態を報告するための方法であって、
ユーザインターフェース状態メッセージをデバイスホストからコントローラに送ることと、ここにおいて、前記ユーザインターフェース状態メッセージが１つまたは複数のユーザインターフェースの可用性を示し、可用性が電力供給された状態に対応する、
アプリケーション情報を１つまたは複数のセキュア要素から前記コントローラに送ることと、
前記ユーザインターフェース状態メッセージと前記アプリケーション情報とに基づいて、アプリケーションリストを決定することと、
前記アプリケーションリストを遠隔デバイスに送ることと
を備える、方法。
［Ｃ２］
前記アプリケーションリストを決定することが、利用可能なユーザインターフェースを利用するアプリケーションに対応する、１つまたは複数のアプリケーションインジケータをリスト化することを備える、Ｃ１に記載の方法。
［Ｃ３］
前記アプリケーションリストを決定することが、利用不可能なユーザインターフェースを利用するアプリケーションに対応する、１つまたは複数のアプリケーションインジケータを除外することを備える、Ｃ１に記載の方法。
［Ｃ４］
１つまたは複数のユーザインターフェースの利用可能になるまでの時間を示す利用可能になるまでの時間メッセージを前記遠隔デバイスに送ること
をさらに備える、Ｃ１に記載の方法。
［Ｃ５］
前記ユーザインターフェース状態メッセージが、前記１つまたは複数のユーザインターフェースの状態変更が生じるとき、前記デバイスホストから前記コントローラに送られる、Ｃ１に記載の方法。
［Ｃ６］
前記コントローラが、近接支払システム環境（ＰＰＳＥ）を含む近距離通信（ＮＦＣ）コントローラである、Ｃ１に記載の方法。
［Ｃ７］
前記ＮＦＣコントローラの前記ＰＰＳＥが前記アプリケーションリストを決定する、Ｃ６に記載の方法。
［Ｃ８］
前記１つまたは複数のセキュア要素の各々が、アプリケーションリストを決定する近接支払システム環境（ＰＰＳＥ）を含み、
前記コントローラが、ユーザインターフェース可用性を示すために、前記アプリケーションリストを更新する、Ｃ１に記載の方法。
［Ｃ９］
ユーザインターフェース状態を報告するための電子デバイスであって、
ユーザインターフェース状態メッセージを送るデバイスホストと、ここにおいて、前記ユーザインターフェース状態メッセージが１つまたは複数のユーザインターフェースの可用性を示し、可用性が電力供給された状態に対応する、
アプリケーション情報を送る、少なくとも１つのセキュア要素と、
前記デバイスホストと前記少なくとも１つのセキュア要素とに結合されたコントローラと
を備え、
前記コントローラが、
前記デバイスホストから前記ユーザインターフェース状態メッセージを受信し、
前記少なくとも１つのセキュア要素から前記アプリケーション情報を受信し、
前記ユーザインターフェース状態メッセージと前記アプリケーション情報とに基づいて、アプリケーションリストを決定し、
前記アプリケーションリストを遠隔デバイスに送る、電子デバイス。
［Ｃ１０］
前記アプリケーションリストを決定することが、利用可能なユーザインターフェースを利用するアプリケーションに対応する、１つまたは複数のアプリケーションインジケータをリスト化することを備える、Ｃ９に記載の電子デバイス。
［Ｃ１１］
前記アプリケーションリストを決定することが、利用不可能なユーザインターフェースを利用するアプリケーションに対応する、１つまたは複数のアプリケーションインジケータを除外することを備える、Ｃ９に記載の電子デバイス。
［Ｃ１２］
１つまたは複数のユーザインターフェースの利用可能になるまでの時間を示す利用可能になるまでの時間メッセージを前記遠隔デバイスに送ること
をさらに備える、Ｃ９に記載の電子デバイス。
［Ｃ１３］
前記ユーザインターフェース状態メッセージが、前記１つまたは複数のユーザインターフェースの状態変更が生じるとき、前記デバイスホストから前記コントローラに送られる、Ｃ９に記載の電子デバイス。
［Ｃ１４］
前記コントローラが、近接支払システム環境（ＰＰＳＥ）を含む近距離通信（ＮＦＣ）コントローラである、Ｃ９に記載の電子デバイス。
［Ｃ１５］
前記ＮＦＣコントローラの前記ＰＰＳＥが前記アプリケーションリストを決定する、Ｃ１４に記載の電子デバイス。
［Ｃ１６］
前記１つまたは複数のセキュア要素の各々が、前記アプリケーションリストを決定する近接支払システム環境（ＰＰＳＥ）を含み、
前記コントローラが、ユーザインターフェース可用性を示すために、前記アプリケーションリストを更新する、Ｃ９に記載の電子デバイス。
［Ｃ１７］
命令をその上に有する非一時的有形コンピュータ可読媒体を備える、ユーザインターフェース状態を報告するためのコンピュータプログラム製品であって、
前記命令が、
電子デバイスに、ユーザインターフェース状態メッセージをデバイスホストからコントローラに送らせるためのコードと、ここにおいて、前記ユーザインターフェース状態メッセージが、１つまたは複数のユーザインターフェースの可用性を示し、可用性が電力供給された状態に対応する、
前記電子デバイスに、アプリケーション情報を１つまたは複数のセキュア要素から前記コントローラに送らせるためのコードと、
前記電子デバイスに、前記ユーザインターフェース状態メッセージと前記アプリケーション情報とに基づいて、アプリケーションリストを決定させるためのコードと、
前記電子デバイスに、前記アプリケーションリストを遠隔デバイスに送らせるためのコードと
を備える、コンピュータプログラム製品。
［Ｃ１８］
前記電子デバイスに前記アプリケーションリストを決定させるための前記コードが、前記電子デバイスに、利用可能なユーザインターフェースを利用するアプリケーションに対応する、１つまたは複数のアプリケーションインジケータをリスト化させるためのコードを備える、Ｃ１７に記載のコンピュータプログラム製品。
［Ｃ１９］
前記電子デバイスに前記アプリケーションリストを決定させるための前記コードが、前記電子デバイスに、利用不可能なユーザインターフェースを利用するアプリケーションに対応する、１つまたは複数のアプリケーションインジケータを除外させるためのコードを備える、Ｃ１７に記載のコンピュータプログラム製品。
［Ｃ２０］
前記電子デバイスに、１つまたは複数のユーザインターフェースの利用可能になるまでの時間を示す利用可能になるまでの時間メッセージを前記遠隔デバイスに送らせるためのコード
をさらに備える、Ｃ１７に記載のコンピュータプログラム製品。
［Ｃ２１］
前記ユーザインターフェース状態メッセージが、前記１つまたは複数のユーザインターフェースの状態変更が生じるとき、前記デバイスホストから前記コントローラに送られる、Ｃ１７に記載のコンピュータプログラム製品。
［Ｃ２２］
前記コントローラが、近接支払システム環境（ＰＰＳＥ）を含む近距離通信（ＮＦＣ）コントローラである、Ｃ１７に記載のコンピュータプログラム製品。
［Ｃ２３］
前記ＮＦＣコントローラの前記ＰＰＳＥが前記アプリケーションリストを決定する、Ｃ２２に記載のコンピュータプログラム製品。
［Ｃ２４］
ユーザインターフェース状態を報告するための装置であって、
ユーザインターフェース状態メッセージをデバイスホストからコントローラに送るための手段と、ここにおいて、前記ユーザインターフェース状態メッセージが１つまたは複数のユーザインターフェースの可用性を示し、可用性が電力供給された状態に対応する、
アプリケーション情報を１つまたは複数のセキュア要素から前記コントローラに送るための手段と、
前記ユーザインターフェース状態メッセージと前記アプリケーション情報とに基づいて、アプリケーションリストを決定するための手段と、
前記アプリケーションリストを遠隔デバイスに送るための手段と
を備える、装置。
［Ｃ２５］
前記アプリケーションリストを決定するための前記手段が、利用可能なユーザインターフェースを利用するアプリケーションに対応する、１つまたは複数のアプリケーションインジケータをリスト化するための手段を備える、Ｃ２４に記載の装置。
［Ｃ２６］
前記アプリケーションリストを決定するための前記手段が、利用不可能なユーザインターフェースを利用するアプリケーションに対応する、１つまたは複数のアプリケーションインジケータを除外するための手段を備える、Ｃ２４に記載の装置。
［Ｃ２７］
１つまたは複数のユーザインターフェースの利用可能になるまでの時間を示す利用可能になるまでの時間メッセージを前記遠隔デバイスに送るための手段
をさらに備える、Ｃ２４に記載の装置。
［Ｃ２８］
前記ユーザインターフェース状態メッセージが、前記１つまたは複数のユーザインターフェースの状態変更が生じるとき、前記デバイスホストから前記コントローラに送られる、Ｃ２４に記載の装置。
［Ｃ２９］
前記コントローラが、近接支払システム環境（ＰＰＳＥ）を含む近距離通信（ＮＦＣ）コントローラである、Ｃ２４に記載の装置。
［Ｃ３０］
前記ＮＦＣコントローラの前記ＰＰＳＥが前記アプリケーションリストを決定する、Ｃ２９に記載の装置。